(57)【要約】【課題】  指示計器において、文字板の表示面側にのみグラデーションを構成するドットを配設したため、文字板が平面的に見え、奥行き感を十分に得ることができなかった。【解決手段】  透光性基板に指標が印刷された文字板を後方から光源によって透光照明してなる透過照明式指示計器において、前記文字板は、前記透光性基板の表面側外周に沿って設けられた指標の配置領域に設けられた加飾印刷層と、該加飾印刷層の内周端側に該加飾印刷層に離間して設けられた第1遮光層と、前記透光性基板に設けられた前記加飾印刷層と前記第1遮光層との離間スペースの前記透光性基板の裏面側に設けられた第２遮光層と、該第２遮光層の外周側に該第２遮光層から離間して設けられ、内周端側が前記加飾印刷層の内側端よりも内側に位置せしめられてなる透光量調整層と、前記第２遮光層の外周縁部を含んで前記透光量調整層の上にオーバーラップして設けられた調光印刷層とからなる。【選択図】  図１
2010216879.tif 000002
【特許請求の範囲】
【請求項１】
透光性基板に指標が印刷された文字板を後方から光源によって透光照明してなる透過照明式指示計器において、
前記文字板は、
前記透光性基板の表面側外周に沿って設けられた指標の配置領域に設けられた加飾印刷層と、該加飾印刷層の内周端側に該加飾印刷層に離間して設けられた第1遮光層と、前記透光性基板に設けられた前記加飾印刷層と前記第1遮光層との離間スペースの前記透光性基板の裏面側に設けられた第２遮光層と、該第２遮光層の外周側に該第２遮光層から離間して設けられ、内周端側が前記加飾印刷層の内側端よりも内側に位置せしめられてなる透光量調整層と、前記第２遮光層の外周縁部を含んで前記透光量調整層の上にオーバーラップして設けられた調光印刷層とからなることを特徴とする透過照明式指示計器。
【請求項２】
前記第２遮光層の前記透光性基板側表面は、鏡面状態に形成されていることを特徴とする請求項１記載の透過照明式指示計器。
【請求項３】
前記透光量調整層は、複数の円形状ヘアライン調印刷からなることを特徴とする請求項１記載の透過照明式指示計器。
【請求項４】
前記第２遮光層の前記透光性基板側表面は、鏡面状態に形成され、かつ前記透光量調整層は、複数の円形状ヘアライン調印刷からなることを特徴とする請求項１記載の透過照明式指示計器。
【発明の詳細な説明】
【技術分野】
【０００１】
本発明は、透過照明式指示計器に関し、詳しくは、文字板の裏面側に光源を配置し、この光源から光を文字板の裏面側から表示面側に透過することによって文字板の目盛、数字、記号等を視認できるようにした透過照明式指示計器に関するものである。
【背景技術】
【０００２】
従来、指示計器において上記のような見た目の心地良さと視認性とがあいまって実現される見易さやドライバーに与える疲労度の低減等のさらなる向上を図るために、その文字板の指標等が配設される文字板の地色（背景）を単一トーンではなく色や濃淡のグラデーションにするという技術が考えられる。
例えば、特許文献１に記載されているように、指示計器１００の指針１０１の回動軸１０２を中心として外側に向って視覚的濃度が低減するように文字板１０３にグラデーション１０４を分布させると共に、そのグラデーション１０４全体の視覚的濃度の中間の値になる位置Ａを、中心（回転軸１０２）の位置Ｂと、目盛、数字等の指標１０１が配設された位置Ｃとの中間の位置Ｄよりも外側に位置せしめて、前記中間の位置Ｄよりも外側に視覚的濃度の変化の最大点を持ってきて、文字板１０３に色や濃淡の変化として明確に認識されるグラデーションが配設されて、見た目の心地よさや視認性等を向上している。（図７及び図８参照）
【０００３】
【特許文献１】特開平１１−６４０４９号公報
【発明の開示】
【発明が解決しようとする課題】
【０００４】
しかしながら、特許文献１の指示計器では、文字板１０３の表示面側にのみグラデーション１０４を構成するドットを配設したため、文字板１０３が平面的に見え、奥行き感を十分に得ることができなかった。
【０００５】
本発明は上記に鑑みてなされたもので、文字板を構成する透光性基板の表面、裏面の両面に印刷層を設けると共に、裏面に設けた印刷層に外部から光を当てることによって、表面の印刷層の奥側に裏面の印刷層を鮮明に見ることができ、従来よりも奥行き感を得ることができる透過照明式指示計器を提供することを目的とする。
【課題を解決するための手段】
【０００６】
上記目的を達成するため、この発明による透過照明式指示計器は、透光性基板に指標が印刷された文字板を後方から光源によって透光照明してなる透過照明式指示計器において、
前記文字板は、前記透光性基板の表面側外周に沿って設けられた指標の配置領域に設けられた加飾印刷層と、該加飾印刷層の内周端側に該加飾印刷層に離間して設けられた第1遮光層と、前記透光性基板に設けられた前記加飾印刷層と前記第1遮光層との離間スペースの前記透光性基板の裏面側に設けられた第２遮光層と、該第２遮光層の外周側に該第２遮光層から離間して設けられ、内周端側が前記加飾印刷層の内側端よりも内側に位置せしめられてなる透光量調整層と、前記第２遮光層の外周縁部を含んで前記透光量調整層の上にオーバーラップして設けられた調光印刷層とからなることを特徴とする。
【０００７】
前記第２遮光層の前記透光性基板側表面は、鏡面状態に形成されている。
【０００８】
また、前記透光量調整層は、異なる複数の円形状ヘアライン調印刷である。
【０００９】
さらに、前記第２遮光層の前記透光性基板側表面は、鏡面状態に形成され、かつ前記透光量調整層は、複数の円形状ヘアライン調印刷からなる。
【発明の効果】
【００１０】
本発明によれば、前記文字板裏面に設けられた前記透光量調整層からの反射光を前記文字板表面側から見るので、奥行き感の向上が図られ、かつ前記透光量調整層がリング状に輝いて見えて、美観の向上を図ることが出来る。
【００１１】
また、前記リングの内側に前記第２遮光層によるもう一つのリングが、前記文字板裏面に形成されて見えるので、奥行き間を強調できる。
【００１２】
また、前記透光量調整層は、異なる複数の同心円形状ヘアライン調印刷に形成することによってさらに奥行き間を強調できる。
【００１３】
またさらに、前記第２遮光層は、鏡面状態に形成され、かつ前記透光量調整層は、複数の円形状ヘアライン調にされることによって、さらに奥行き間を強調できる。
【発明を実施するための最良の形態】
【００１４】
以下、本発明を実施するための最良の形態について、図面を参照して説明する。以下の図面の記載において、同一または同等の部分には同一または同等の符号を付している。ただし、図面は模式的なものであり、現実のものとは異なることに留意すべきである。また、図面相互間においても互いの寸法の関係や比率が異なる部分が含まれていることはもちろんである。
【００１５】
また、以下に示す実施の形態は、この発明の技術的思想を具体化するための装置を例示するものであって、この発明の技術的思想は、各構成部品の配置等を下記のものに特定するものでない。この発明の技術的思想は、特許請求の範囲において、種々の変更を加えることができる。
【００１６】
本実施の形態に係る透過照明式指示計器１は、図１乃至図４に示すように、透光性基板１に指標２が形成された文字板３を後方から、常時点灯の光源４によって透光照明してなる構造を有する。
【００１７】
前記文字板３を構成する前記透光性基板１の表面外周に沿って設けられる指標２の配置領域５に設けられた遮光性加飾印刷層６の内側に、加飾印刷層６から離間して黒色の第1遮光層７が設けられている。
【００１８】
また、この加飾印刷層６の内周端部の近傍（符号Ａの近傍）は、全周に渡って半透過構造をなして、加飾印刷層６を前面視（文字板３を光源４の反対側から見る場合を言う）した場合、前記透光量調整層１０領域Ｘ（複数の前記透光量調整層１０を１つの纏まりとして見た場合の領域）の内周部側が透けて見られるようになっている。
なお、前記加飾印刷層６のうち前記指標２が設けられる部分には開口部が設けられ指標２を形成している。
【００１９】
前記透光性基板１に設けられた前記加飾印刷層６と第1遮光層７との離間スペース８の前記透光性基板１の裏面側には、前記第１遮光層７の表面色と異なる色調を有し、かつ金属光沢を有する金属調印刷により表面（透光性基板１側）に光沢を有する第２遮光層９が設けられている。なお、この第２遮光層９は、銀色等の鏡面を有する印刷層以外に、黒光り等の鏡面を有する印刷層であっても良く、また鏡面に類似するものなら何でも良い。
【００２０】
また、前記第２遮光層９の外周側から離間して、内側端が前記加飾印刷層６の内側端Ａの位置よりも内側に位置せしめられてなり、かつ文字板３の中心から外方に向かって密度が低くなる複数の遮光性ドット印刷からなる透光量調整層１０領域Ｘが設けられ、前記第２遮光層９と前記透光量調整層１０領域Ｘの内側端Ｃとの間の離間スペース１１と、前記透光量調整層１０との双方にオーバラップして例えば紫色半透過層からなる調光印刷層１２が設けられている。
【００２１】
なお、図２の符号１３は第３遮光層で、前記透光量調整層１０と同時に形成され、その後、前記調光印刷層１２が形成されるが、その際に前記指標２が開口部として形成される。
【００２２】
また、前記第２遮光層９の内周側は、第１遮光層７の外周部にオーバーラップして配置されるように延設され、光漏れを防止している。
【００２３】
また、前記調光印刷層１２の内周縁部は、前記第２遮光部９の外周部にオーバーラップして配置されるように延設され、光漏れを防止している。
【００２４】
次に、上記構成による作用説明を行う。
文字板３の裏面側に配置された光源４からの照明光は、指標２部分と、前記第２遮光層９及び前記透光量調整層１０の内側端Ｃの間の離間スペース１１と、複数の前記透光量調整層１０間とを裏面から照明する。
【００２５】
その結果、文字板３を表面から見ると、指標２部分を裏面から表面に向けて透過して、指標２部分が目盛として認識される。また、前記第２遮光層９の外側端Ｂ及び前記透光量調整層１０の内側端Ｃの間の前面視リング状の離間スペース１１は、光が矢印Ｄのように透過し、紫色のリング状に認識できる。
【００２６】
また、複数の前記透光量調整層１０のうち内側に配置された前記透光量調整層１０（図３においては、複数配置された前記透光量調整層１０のうち左側に配置されたもの）間を透過した光は、前記加飾印刷層６の内側部の半透過部分（符号Ａの近傍部分）を透かしてリング状に認識できる。
【００２７】
また、文字板３の表面側からの外光Ｅは、前記加飾印刷層６の内側端Ａと第1遮光層７の外側端Ｈとの前面視リング状の離間スペース８部分の透光性基板１を通過して金属調色彩の前記第２遮光層９の表面に入射し、その反射面によって文字板３の表面側に反射される。
【００２８】
その結果、前記加飾印刷層６と第1遮光層７との離間スペース８にはみ出た前記第２遮光層９の部分が、前記第２遮光層９の表面色のリング状に、かつ文字板３の表面よりも奥深い位置に認識できる。
【００２９】
また、複数の前記透光量調整層１０のうち内側に配置された前記透光量調整層１０（図３においては、複数配置された前記透光量調整層１０のうち左側に配置されたもの）の反射面に入射した光Ｅ２は、その面で乱反射して（符号Ｇ）、前記第２遮光層９によるリング状表示の外側に、前記第２遮光層９と異なる色調の紫色のリングを認識できる。なお、前記透光量調整層１０で乱反射した光の一部は、符号Ｅ１で示すように前記透光性基板１の中を平面状に広がり前記透光量調整層１０自身を照明する。
【００３０】
また、上記構成によって、文字板３を裏面から表面に向けて照明光が透過せしめ、これを文字板３の表面側から見ると、前記第２遮光層９の外周縁Ｂ及び前記透光量調整層１０の内側端Ｃの間の離間スペース１１及び複数の前記透光量調整層１０のうちの内側に配置された部分の間を通過した光は、共に半透過層からなる紫色のリング状に、かつ文字板３の表面よりも奥深い位置に認識できる。
【００３１】
（他の具体例）
本実施の形態に係る他の透過照明式指示計器１を図５及び図６に基づいて以下に説明する。なお、この実施例を示す図５及び図６において、先の第1実施例を示す図1乃至図4に示した構成と同一、又は均等な部分いついては同一符号を付して、その詳細説明は省略する。
【００３２】
前記図1乃至図４においては、透光量調整層１０を、複数のドット状の遮光層で構成したが、透光量調整層１０Ａは、前記透過性の透明コーティング剤を指針軸１４を中心とする同芯円とした微小幅のヘアライン層とし、かつその外周方向への配置密度を徐々に小さくした構成にされている。
【００３３】
これによって、複数の円形状のヘアラインの前記透光量調整層１０Ａは、配置密度が外周に向けて徐々に小さく、かつ文字板３の表面よりも奥深い位置に認識できる。
【００３４】
なお、前記円形状のヘアラインとは、実線状の閉曲線なら何でも良いが、作りやすさからは真円形状の閉曲線によるものが最適である。しかしながら、これに限らず破線状の閉曲線のものであっても良い。
【００３５】
なお、符号Ｆは前記調光印刷層１２の外周端、符号Ｈは第１遮光部７の外周部、符号Ｉは第２遮光部９の内周端である。
【図面の簡単な説明】
【００３６】
【図１】本発明の第１実施例に係る車両用表示装置に含まれる車速計、回転計等のメータを正面から見た平面図である。
【図２】図１におけるＡ−Ａ断面図である。
【図３】図２の要部拡大図である。
【図４】図１を裏面側から見た平面図である。
【図５】第２実施例に係る平面図である。
【図６】図５におけるＡ−Ａ断面図である。
【図７】従来例の文字板１００を示す平面図である。
【図８】図７の文字板１００のグラデーション１０４の分布密度を示す特性図である。
【符号の説明】
【００３７】
１  透過性基板
２  指標
３  文字板
４  光源
５  配置領域
６  加飾印刷層
７  第１遮光層
８  離間スペース
９  第２遮光層
１０、１０Ａ  透光量調整層
１１  離間スペース
１２  調光印刷層
１３  第３遮光層
１４  指針軸
【図１】
2010216879.tif 000003
【図２】
2010216879.tif 000004
【図３】
2010216879.tif 000005
【図４】
2010216879.tif 000006
【図５】
2010216879.tif 000007
【図６】
2010216879.tif 000008
【図７】
2010216879.tif 000009
【図８】
2010216879.tif 000010